(57)【特許請求の範囲】
【請求項１】
無線ネットワークにアクセスする方法であって、前記方法が、
スマートデバイスが一部のサーバにアクセスするために、第１アクセス情報に基づいて対象ルータにアクセスすることと、
前記スマートデバイスが前記一部のサーバにデバイス検証情報を送信することと、
前記スマートデバイスが第２アクセス情報を受信することであって、前記第２アクセス情報が、前記デバイス検証情報が前記一部のサーバ上で行われる検証に合格した時に前記対象ルータによって送信されたものである、ことと、
前記スマートデバイスが全部のサーバにアクセスするために、前記第２アクセス情報に基づいて前記対象ルータにアクセスすることと
を含み、
前記第１アクセス情報が第１無線ネットワークの識別子を含み又は前記第１アクセス情報が前記第１無線ネットワークの識別子及び予め決定されたパスワードを含んでいる、方法。
【請求項２】
前記第２アクセス情報を受信することが、
前記対象ルータによって送信された前記第２アクセス情報を受信することを含み、前記第２アクセス情報が、前記一部のサーバからの命令に応じて前記対象ルータによって送信されたものである、請求項１に記載の方法。
【請求項３】
前記第２アクセス情報を受信することが、前記一部のサーバによって送信された前記第２アクセス情報を受信することを含む、請求項１に記載の方法。
【請求項４】
前記デバイス検証情報がデバイス識別子及び検証鍵を含む、請求項１〜３のいずれか１項に記載の方法。
【請求項５】
前記第１無線ネットワークは、前記一部のサーバへのアクセスをサポートしており、
前記第２アクセス情報が、前記第２無線ネットワークの識別子及びパスワードを含み、前記第２無線ネットワークは、前記全部のサーバへのアクセスをサポートしている、請求項１〜４のいずれか１項に記載の方法。
【請求項６】
無線ネットワークにアクセスする装置であって、前記装置が、
一部のサーバにアクセスするために、第１アクセス情報に基づいて対象ルータにアクセスするように構成されたアクセスモジュールと、
前記一部のサーバにデバイス検証情報を送信するように構成された送信モジュールと、
第２アクセス情報を受信するように構成された受信モジュールであって、前記第２アクセス情報が、前記デバイス検証情報が前記一部のサーバ上で行われる検証に合格した時に前記対象ルータによって送信されたものである、受信モジュールと
を含み、
前記アクセスモジュールは、さらに、全部のサーバにアクセスするために、前記受信モジュールによって受信された前記第２アクセス情報に基づいて前記対象ルータにアクセスするように構成され、
前記第１アクセス情報が第１無線ネットワークの識別子を含み又は前記第１アクセス情報が前記第１無線ネットワークの識別子及び予め決定されたパスワードを含んでいる、装置。
【請求項７】
前記受信モジュールが、
前記対象ルータによって送信された前記第２アクセス情報を受信するように構成されており、前記第２アクセス情報が、前記一部のサーバからの命令に応じて前記対象ルータによって送信されたものである、請求項６に記載の装置。
【請求項８】
前記受信モジュールが、前記一部のサーバによって送信された前記第２アクセス情報を受信するように構成されている、請求項６に記載の装置。
【請求項９】
前記デバイス検証情報がデバイス識別子及び検証鍵を含む、請求項６〜８のいずれか１項に記載の装置。
【請求項１０】
前記第１無線ネットワークは、前記一部のサーバへのアクセスをサポートしており、
前記第２アクセス情報が、前記第２無線ネットワークの識別子及びパスワードを含み、前記第２無線ネットワークは、前記全部のサーバへのアクセスをサポートしている、請求項６〜９のいずれか１項に記載の装置。
【請求項１１】
無線ネットワークにアクセスするシステムであって、前記システムは、端末デバイスと、ルータと、サーバとを含み、
前記端末デバイスは、一部のサーバにアクセスするために第１アクセス情報に基づいて前記ルータにアクセスし、前記一部のサーバにデバイス検証情報を送信し、第２アクセス情報を受信し、全部のサーバにアクセスするために前記第２アクセス情報に基づいて前記ルータにアクセスするように構成されており、
前記ルータは、前記第１アクセス情報に基づいて前記端末デバイスとの第１接続を確立し、前記端末デバイスによって送信された前記デバイス検証情報を受信し、前記デバイス検証情報を前記一部のサーバに送信し、前記デバイス検証情報が前記一部のサーバ上で行われる検証に合格した後、前記第２アクセス情報に基づいて前記端末デバイスとの第２接続を確立するように構成されており、
前記サーバは、前記端末デバイスによって前記ルータを介して送信された前記デバイス検証情報を受信し、前記デバイス検証情報に基づいて前記端末デバイスに対して検証を行い、検証に合格した時、前記ルータを介して前記端末デバイスに前記第２アクセス情報を送信するように構成され、
前記第１アクセス情報が第１無線ネットワークの識別子を含み又は前記第１アクセス情報が前記第１無線ネットワークの識別子及び予め決定されたパスワードを含んでいる、システム。
【請求項１２】
前記サーバが、前記ルータに命令を送信するように構成されており、前記ルータが、前記命令に基づいて前記端末デバイスに前記第２アクセス情報を送信するように構成されており、前記命令が、前記端末デバイスに前記第２アクセス情報を送信するよう指示するために用いられる、請求項１１に記載のシステム。
【請求項１３】
前記サーバが、前記ルータに前記第２アクセス情報を送信するように構成されており、前記ルータが、前記サーバによって送信された前記第２アクセス情報を前記端末デバイスに転送するように構成されている、請求項１１に記載のシステム。
【請求項１４】
前記デバイス検証情報がデバイス識別子及び検証鍵を含む、請求項１１〜１３のいずれか１項に記載のシステム。
【請求項１５】
前記第１無線ネットワークは、前記一部のサーバへのアクセスをサポートしており、
前記第２アクセス情報が、前記第２無線ネットワークの識別子及びパスワードを含み、前記第２無線ネットワークは、前記全部のサーバへのアクセスをサポートしている、請求項１１〜１４のいずれか１項に記載のシステム。
【請求項１６】
コンピュータ上で動作する際に、請求項１〜５のいずれか１項に記載の方法を該コンピュータに実行させるための、コンピュータプログラム。
【請求項１７】
コンピュータ読み取り可能記憶媒体であって、該コンピュータ読み取り可能記憶媒体に保存された請求項１６に記載のコンピュータプログラムを含む、コンピュータ読み取り可能記憶媒体。
【発明の詳細な説明】
【技術分野】
【０００１】
関連出願の相互参照
本出願は、２０１５年９月３０日に中国国家知識産権局に出願された中国特許出願第２０１５１０６４２５５４．６号に基づくものであると共に、該中国特許出願の優先権を主張するものであり、該中国特許出願の全ての内容が、参照により本出願に組み込まれる。
【０００２】
技術分野
本開示は、通信技術分野に関し、より具体的には、無線ネットワークにアクセスする方法、装置及びシステムに関する。
【背景技術】
【０００３】
スマートデバイスの使用手順において、ユーザはスマートデバイスをルータに接続した後、ルータの提供するワイヤレスフィデリティ（Wireless Fidelity、ＷＩＦＩ）ネットワークを用いる。
【０００４】
ＷＩＦＩネットワークにアクセスする際には、通常、ユーザは手動で直接、スマートデバイス上でＷＩＦＩネットワークの選択及びパスワードの入力を行うか、他の端末デバイスを通じて該スマートデバイスを制御することによってＷＩＦＩネットワークの選択及びパスワードの入力を行い、その後ＷＩＦＩネットワークにアクセスする。
【０００５】
上述のＷＩＦＩネットワークアクセス過程は複雑な操作が必要であるため、ユーザエクスペリエンスに影響する。
【発明の概要】
【発明が解決しようとする課題】
【０００６】
関連技術に存在する問題を克服するため、本開示は、無線ネットワークにアクセスする方法、装置及びシステムを提供する。
【課題を解決するための手段】
【０００７】
本開示における実施形態の第１態様によれば、無線ネットワークにアクセスする方法が提供され、前記方法が、
一部のサーバにアクセスするために、第１アクセス情報に基づいて対象ルータにアクセスすることと、
前記一部のサーバにデバイス検証情報を送信することと、
第２アクセス情報を受信することであって、前記第２アクセス情報が、前記デバイス検証情報が前記一部のサーバ上で行われる検証に合格した時に前記対象ルータによって送信されたものである、ことと、
全部のサーバにアクセスするために、前記第２アクセス情報に基づいて前記対象ルータにアクセスすることと
を含んでいる。
【０００８】
本開示における実施形態の第２態様によれば、無線ネットワークにアクセスする方法が提供され、前記方法が、
無線ネットワークにアクセスするデバイスの一部のサーバへのアクセスをサポートするために、第１アクセス情報に基づいて前記デバイスとの第１接続を確立することと、
前記デバイスによって送信されたデバイス検証情報を受信することと、
前記デバイス検証情報を前記一部のサーバに送信することと、
前記デバイスの全部のサーバへのアクセスをサポートするために、前記デバイス検証情報が前記一部のサーバ上で行われる検証に合格した後、前記第２アクセス情報に基づいて前記デバイスとの第２接続を確立することと
を含んでいる。
【０００９】
本開示における実施形態の第３態様によれば、無線ネットワークにアクセスする方法が提供され、前記方法が、
無線ネットワークにアクセスするデバイスによって対象ルータを介して送信されたデバイス検証情報を受信することと、
前記デバイス検証情報に基づいて、前記デバイスに対して検証を行うことと、
検証に合格した時、前記デバイスが前記第２アクセス情報に基づいて前記対象ルータにアクセスすると共にそれによって全部のサーバにアクセスするために、前記対象ルータを介して前記デバイスに第２アクセス情報を送信することと
を含んでいる。
【００１０】
本開示における実施形態の第４態様によれば、無線ネットワークにアクセスする装置が提供され、前記装置が、
一部のサーバにアクセスするために、第１アクセス情報に基づいて対象ルータにアクセスするように構成されたアクセスモジュールと、
前記一部のサーバにデバイス検証情報を送信するように構成された送信モジュールと、
第２アクセス情報を受信するように構成された受信モジュールであって、前記第２アクセス情報が、前記デバイス検証情報が前記一部のサーバ上で行われる検証に合格した時に前記対象ルータによって送信されたものである、受信モジュールと
を含み、
前記アクセスモジュールは、さらに、全部のサーバにアクセスするために、前記第２アクセス情報に基づいて前記対象ルータにアクセスするように構成されている。
【００１１】
本開示における実施形態の第５態様によれば、無線ネットワークにアクセスする装置が提供され、前記装置が、
無線ネットワークにアクセスするデバイスの一部のサーバへのアクセスをサポートするために、第１アクセス情報に基づいて無線ネットワークにアクセスする前記デバイスとの第１接続を確立するように構成された接続モジュールと、
前記無線ネットワークにアクセスする前記デバイスによって送信されたデバイス検証情報を受信するように構成された受信モジュールと、
前記デバイス検証情報を前記一部のサーバに送信するように構成された送信モジュールと
を含み、
前記接続モジュールは、さらに、前記無線ネットワークにアクセスする前記デバイスの全部のサーバへのアクセスをサポートするために、前記デバイス検証情報が前記一部のサーバ上で行われる検証に合格した後、前記第２アクセス情報に基づいて前記無線ネットワークにアクセスする前記デバイスとの第２接続を確立するように構成されている。
【００１２】
本開示における実施形態の第６態様によれば、無線ネットワークにアクセスする装置が提供され、前記装置が、
無線ネットワークにアクセスするデバイスによって対象ルータを介して送信されたデバイス検証情報を受信するように構成された受信モジュールと、
前記デバイス検証情報に基づいて、前記デバイスに対して検証を行うように構成された検証モジュールと、
検証に合格した時、前記無線ネットワークにアクセスする前記デバイスが前記第２アクセス情報に基づいて前記対象ルータにアクセスすると共にそれによって全部のサーバにアクセスするために、前記対象ルータを介して前記無線ネットワークにアクセスする前記デバイスに第２アクセス情報を送信するように構成された送信モジュールと
を含んでいる。
【００１３】
本開示における実施形態の第７態様によれば、無線ネットワークにアクセスする装置が提供され、前記装置が、
プロセッサと、
前記プロセッサにより実行可能な命令を保存するように構成されたメモリと
を含んでおり、
前記プロセッサは、
一部のサーバにアクセスするために、第１アクセス情報に基づいて対象ルータにアクセスし、
前記一部のサーバにデバイス検証情報を送信し、
第２アクセス情報を受信し、ここで、前記第２アクセス情報が、前記デバイス検証情報が前記一部のサーバ上で行われる検証に合格した時に前記対象ルータによって送信されたものであり、
全部のサーバにアクセスするために、前記第２アクセス情報に基づいて前記対象ルータにアクセスする
ように構成されている。
【００１４】
本開示における実施形態の第８態様によれば、無線ネットワークにアクセスする装置が提供され、前記装置が、
プロセッサと、
前記プロセッサにより実行可能な命令を保存するように構成されたメモリと
を含んでおり、
前記プロセッサは、
無線ネットワークにアクセスするデバイスの一部のサーバへのアクセスをサポートするために、第１アクセス情報に基づいて前記無線ネットワークにアクセスする前記デバイスとの第１接続を確立し、
前記デバイスによって送信されたデバイス検証情報を受信し、
前記デバイス検証情報を前記一部のサーバに送信し、
前記デバイスの全部のサーバへのアクセスをサポートするために、前記デバイス検証情報が前記一部のサーバ上で行われる検証に合格した後、前記第２アクセス情報に基づいて前記デバイスとの第２接続を確立する
ように構成されている。
【００１５】
本開示における実施形態の第９態様によれば、無線ネットワークにアクセスする装置が提供され、前記装置が、
プロセッサと、
前記プロセッサにより実行可能な命令を保存するように構成されたメモリと
を含んでおり、
前記プロセッサは、
無線ネットワークにアクセスするデバイスによって対象ルータを介して送信されたデバイス検証情報を受信し、
前記デバイス検証情報に基づいて、前記デバイスに対して検証を行い、
検証に合格した時、前記デバイスが第２アクセス情報に基づいて前記対象ルータにアクセスすると共にそれによって全部のサーバにアクセスするために、無線ネットワークにアクセスする前記デバイスに前記対象ルータを介して前記第２アクセス情報を送信する
ように構成されている。
【００１６】
本開示における実施形態の第１０態様によれば、無線ネットワークにアクセスするシステムが提供され、前記システムは、端末デバイスと、ルータと、複数のサーバとを含んでおり、
前記端末デバイスは、一部のサーバにアクセスするために第１アクセス情報に基づいて前記ルータにアクセスし、前記一部のサーバにデバイス検証情報を送信し、第２アクセス情報を受信し、全部のサーバにアクセスするために前記第２アクセス情報に基づいて前記対象ルータにアクセスするように構成されており、
前記ルータは、前記第１アクセス情報に基づいて前記端末デバイスとの第１接続を確立し、前記端末デバイスによって送信された前記デバイス検証情報を受信し、前記デバイス検証情報を前記一部のサーバに送信し、前記デバイス検証情報が前記一部のサーバ上で行われる検証に合格した後、前記第２アクセス情報に基づいて前記端末デバイスとの第２接続を確立するように構成されており、
前記サーバは、前記端末デバイスによって前記ルータを介して送信された前記デバイス検証情報を受信し、前記デバイス検証情報に基づいて前記端末デバイスに対して検証を行い、検証に合格した時、前記ルータを介して前記端末デバイスに前記第２アクセス情報を送信するように構成されている。
【００１７】
上述の一般的説明及び後述の詳細な説明は、単なる例示及び説明であって、本開示を限定するように解釈されるものではないことを理解されたい。
【図面の簡単な説明】
【００１８】
添付の図面は、本明細書に組み込まれると共に本明細書の一部を構成し、本開示に一致する実施形態を示しており、本明細書と共に本開示の原理を説明するのに役立つ。
【００１９】
【図１】図１は、本開示の例示の実施形態に基づく適用場面の概略図である。
【図２】図２は、本開示の例示の実施形態に基づく無線ネットワークにアクセスする方法のフローチャートである。
【図３】図３は、本開示の例示の実施形態に基づく無線ネットワークにアクセスする方法のフローチャートである。
【図４】図４は、本開示の例示の実施形態に基づく無線ネットワークにアクセスする方法のフローチャートである。
【図５】図５は、本開示の例示の実施形態に基づく無線ネットワークにアクセスする方法のフローチャートである。
【図６】図６は、本開示の例示の実施形態に基づく無線ネットワークにアクセスする方法のフローチャートである。
【図７】図７は、本開示の例示の実施形態に基づく無線ネットワークにアクセスする方法のフローチャートである。
【図８】図８は、本開示の例示の実施形態に基づく無線ネットワークにアクセスする方法のフローチャートである。
【図９】図９は、本開示の例示の実施形態に基づく無線ネットワークにアクセスする装置のブロック図である。
【図１０】図１０は、本開示の例示の実施形態に基づく無線ネットワークにアクセスする装置のブロック図である。
【図１１】図１１は、本開示の例示の実施形態に基づく無線ネットワークにアクセスする装置のブロック図である。
【図１２】図１２は、本開示の例示の実施形態に基づく無線ネットワークにアクセスする装置のブロック図である。
【図１３】図１３は、本開示の例示の実施形態に基づく無線ネットワークにアクセスする装置のブロック図である。
【図１４】図１４は、本開示の例示の実施形態に基づく無線ネットワークにアクセスする装置のブロック図である。
【図１５】図１５は、本開示の例示の実施形態に基づく無線ネットワークへのアクセスに用いられる装置の概略図である。
【図１６】図１６は、本開示の例示の実施形態に基づく無線ネットワークへのアクセスに用いられる装置の概略図である。
【図１７】図１７は、本開示の例示の実施形態に基づく無線ネットワークへのアクセスに用いられる装置の概略図である。
【図１８】図１８は、本開示の例示の実施形態に基づく無線ネットワークにアクセスするシステムのブロック図である。
【発明を実施するための形態】
【００２０】
以下、例示の実施形態について詳細に説明し、その例示を添付の図面中に示す。以下の説明が添付の図面に言及する際には、他に述べられていない限り、異なる図面における同一の参照番号は同一又は類似の要素を示す。例示の実施形態に係る以下の説明にて明示される実施方式は、本開示と一致する全ての実施方式を表すものではない。むしろ、それらは、添付の特許請求の範囲に詳述されるような、本開示に関するいくつかの態様と一致する装置及び方法の単なる例である。
【００２１】
実施形態の説明を容易にするために、まずは以下に本開示の実施形態における適用場面を簡単に紹介する。図１に示すように、該適用場面は、スマートデバイス１と、モバイル端末２と、サーバ３と、ルータ４とを含む。モバイル端末２は、ルータ３に接続されている。モバイル端末２は、ルータ４に開始命令を送信することができ、それによってルータ４における第１無線ネットワークをオンにする。第１無線ネットワークはパスワードを有しておらず（又はパスワードは予め決定されたパスワードであり）、第１無線ネットワークを介しては、サーバ３とのみ通信することができる。第１無線ネットワークがオンになった後、スマートデバイス１が第１無線ネットワークをスキャンした場合、スマートデバイス１は第１無線ネットワークにアクセスし、その後にサーバ３との検証を行う。スマートデバイス１が検証に合格した時に、ルータ４は第２無線ネットワークの識別子及びパスワードをスマートデバイス１に送信する。スマートデバイス１は、第２無線ネットワークの識別子及びパスワードを受信した後に、第２無線ネットワークにアクセスすることができ、それによってデータのアップロード及びその他のネットワーク機能を実現する。
【００２２】
スマートデバイス１は、以下に限定されないが、スマートプラグ、スマートカメラ、スマートウォッチ、スマートブレスレット、スマートリモコン、スマートフォン等を含む。モバイル端末２は、以下に限定されないが、スマートフォン又はタブレットコンピュータを含む。ルータ４は、ＸｉａｏＭｉルータのようなスマートルータである。
【００２３】
なお、上述のデバイスの種類及び数量は単なる例示であって、本開示を限定するものとみなしてはならないことに留意されたい。
【００２４】
図２は、本開示の例示の実施形態に基づく無線ネットワークにアクセスする方法のフローチャートである。該方法は、前述のスマートデバイスに適用される。図２に示すように、該方法は以下のステップを含む。
【００２５】
ステップＳ１１では、一部のサーバにアクセスするために、第１アクセス情報に基づいて対象ルータにアクセスする。
【００２６】
該一部のサーバは、スマートデバイスに対して検証を行うために用いられるサーバを含む。例えば、スマートデバイスがＸｉａｏＭｉスマートプラグやＸｉａｏＭｉブレスレットであってもよく、該一部のサーバがＸｉａｏＭｉサーバを含む。
【００２７】
ステップＳ１２では、該一部のサーバにデバイス検証情報を送信する。
【００２８】
デバイス検証情報は、該一部のサーバによりスマートデバイスを検証するために用いられる。
【００２９】
ステップＳ１３では、第２アクセス情報を受信する。第２アクセス情報は、デバイス検証情報が該一部のサーバ上で行われる検証に合格した時に対象ルータによって送信されたものである。
【００３０】
ステップＳ１４では、全部のサーバにアクセスするために、第２アクセス情報に基づいて対象ルータにアクセスする。
【００３１】
第２アクセス情報に基づいて対象ルータにアクセスした後には、インターネット全体における全部のサーバにアクセスすることができる。
【００３２】
対象ルータは、ＸｉａｏＭｉルータのような前述のルータである。
【００３３】
本開示では、スマートデバイスは、まず、一部のサーバへのアクセスをサポートするのみである無線ネットワークを介して、検証を行う該一部のサーバにデバイス検証情報を送信し、検証に合格した後、直ちに第２アクセス情報を取得する。それにより、該スマートデバイスは、第２アクセス情報に基づいて対象ルータにアクセスし、それによって全部のサーバにアクセスして、データ伝送を行う。スマートデバイスが対象ルータにアクセスして全部のサーバへアクセスする際に、ユーザが手動で無線ネットワークの選択及びパスワード入力を行う必要がなく、アクセス手順が便利になり、ユーザエクスペリエンスが向上する。
【００３４】
図３は、本開示の例示の実施形態に基づく無線ネットワークにアクセスする方法のフローチャートである。該方法は、前述のスマートデバイスに適用される。図３に示すように、該方法は以下のステップを含む。
【００３５】
ステップＳ２０では、無線ネットワークのスキャンを定期的に行って、アクセス可能な無線ネットワークの識別子リストを取得する。
【００３６】
例えば、スマートデバイスは、ルータ（対象ルータを含む）によって送信されたビーコンフレームを定期的に受信し、ビーコンフレーム中の無線ネットワークの識別子に基づいて、アクセス可能な無線ネットワークの識別子リストを決定する。
【００３７】
無線ネットワークの識別子は、無線ネットワークのサービスセット識別子（Service Set Identifier、ＳＳＩＤ）であり、アクセス可能な無線ネットワークの識別子リストは、複数の無線ネットワークのＳＳＩＤにより構成される。
【００３８】
ステップＳ２１では、識別子リスト中に第１無線ネットワークの識別子があるか否かを判断して、ある場合には、第１無線ネットワークがスキャンされたことを決定する。第１無線ネットワークは、スマートデバイスの一部のサーバへのアクセスをサポートするために対象ルータにより提供されるものであって、第１無線ネットワークは、暗号化されていない無線ネットワークであるか、パスワードが設定された無線ネットワークである。
【００３９】
識別子リストの中に第１無線ネットワークの識別子がない場合には、第１無線ネットワークがスキャンされるまでステップＳ２０及びＳ２１を継続して実行する。
【００４０】
ステップＳ２２では、該一部のサーバにアクセスするために、第１アクセス情報に基づいて対象ルータにアクセスする。
【００４１】
第１アクセス情報は、第１無線ネットワークの識別子を含んでいるか、第１アクセス情報は、第１無線ネットワークの識別子及びパスワードを含んでいる。第１無線ネットワークは、該一部のサーバへのアクセスをサポートしている。第１アクセス情報は、スマートデバイス中に予め記憶されていてもよい。
【００４２】
該一部のサーバは、スマートデバイスに対して検証を行うために用いられるサーバを含んでいる。例えば、スマートデバイスがＸｉａｏＭｉスマートプラグやＸｉａｏｍｉブレスレットであってもよく、該一部のサーバがＸｉａｏｍｉサーバを含む。
【００４３】
第１アクセス情報に基づいて対象ルータにアクセスすることは、
対象ルータに検証要求を送信することであって、検証要求が、第１無線ネットワークの識別子を含んでいるか、第１無線ネットワークの識別子及びパスワードを含んでいる、ことと、
対象ルータによって返信された検証応答が受信された時、第１無線ネットワークにアクセスするために、スマートデバイスを第１無線ネットワークと関連付けることと
を含んでいる。
【００４４】
スマートデバイスを第１無線ネットワークと関連付けることとは、対象ルータに関連付け要求をスマートデバイスによって送信することや、対象ルータによって返信された関連付けの確認をスマートデバイスによって受信することを含んでいてもよい。関連付けが完了した後に、スマートデバイスは、対象ルータとデータ通信を行うことができる。
【００４５】
ステップＳ２３では、該一部のサーバにデバイス検証情報を送信する。デバイス検証情報は、デバイス識別子及び検証鍵を含んでいる。
【００４６】
検証鍵はサーバにより生成され、スマートデバイスの製造時においてスマートデバイス中にプログラムされる。サーバは、それぞれの検証鍵とデバイス識別子との対応関係を記憶することになる。サーバは、記憶した検証鍵とデバイス識別子との対応関係に基づいてスマートデバイスに対して検証を行う。すなわち、スマートデバイスによって送信されたデバイス識別子及び検証鍵がサーバ内に記憶されていて互いに整合すると、検証に合格する。
【００４７】
ステップＳ２４では、第２アクセス情報を受信する。第２アクセス情報は、デバイス検証情報が該一部のサーバ上で行われる検証に合格した時に対象ルータによって送信されたものである。
【００４８】
本実施形態の実施方式では、第２アクセス情報を受信することが、対象ルータによって送信された第２アクセス情報を受信することを含む。第２アクセス情報は、該一部のサーバからの命令に応じて対象ルータによって送信されたものである。対象ルータは、スマートデバイスに第２アクセス情報を送信する前に、該一部のサーバによって送信された命令を受信する。該命令は、スマートデバイスが検証に合格するよう対象ルータに指示するために用いられ、該命令は、スマートデバイスのデバイス識別子を含む。
【００４９】
本実施形態の別の実施方式では、第２アクセス情報を受信することが、該一部のサーバによって送信された第２アクセス情報を受信することを含む。該一部のサーバによって送信された第２アクセス情報は、対象ルータによって該一部のサーバに事前にアップロードされてもよい。
【００５０】
検証に合格しなかった場合には、スマートデバイスは第２アクセス情報を受信しないことになる。
【００５１】
第２アクセス情報は、第２無線ネットワークの識別子及びパスワードを含んでおり、第２無線ネットワークは、全部のサーバへのアクセスをサポートしている。第２無線ネットワークは、対象ルータによって提供される。
【００５２】
ステップＳ２５では、全部のサーバへのアクセスをサポートするために、第２アクセス情報に基づいて対象ルータにアクセスする。
【００５３】
第２アクセス情報に基づいて対象ルータにアクセスした後には、インターネット全体における全部のサーバにアクセスすることができる。上述のアクセス手順では、ユーザは無線ネットワークの選択及びパスワード入力を行う必要がなく、そのため手動の関与なしに無線ネットワークにアクセスしている。このことは、有効な入力装置又は表示装置のないスマートデバイス（スマートブレスレットやスマートプラグなど）にとって特に適しており、他の端末デバイスを介して制御を行うことなくアクセスを実現することができ、アクセス手順が便利になる。
【００５４】
アクセス手順はステップＳ２２と同じであり、ここでは繰り返さない。
【００５５】
本開示では、スマートデバイスは、まず、一部のサーバへのアクセスをサポートするのみである無線ネットワークを介して、検証を行う該一部のサーバにデバイス検証情報を送信し、検証に合格した後、直ちに第２アクセス情報を取得する。それにより、該スマートデバイスは、第２アクセス情報に基づいて対象ルータにアクセスし、それによって全部のサーバにアクセスして、データ伝送を行う。スマートデバイスが対象ルータにアクセスして全部のサーバへアクセスする際に、ユーザが手動で無線ネットワークの選択及びパスワード入力を行う必要がなく、アクセス手順が便利になり、ユーザエクスペリエンスが向上する。
【００５６】
図４は、本開示の例示の実施形態に基づく無線ネットワークにアクセスする方法のフローチャートである。該方法は、前述のルータに適用される。図４に示すように、該方法は以下のステップを含む。
【００５７】
ステップＳ３１では、無線ネットワークにアクセスするデバイスの一部のサーバへのアクセスをサポートするために、第１アクセス情報に基づいて該デバイスとの第１接続を確立する。
【００５８】
該デバイスは、前述のスマートデバイスであってもよい。該一部のサーバは、該デバイスに対して検証を行うために用いられるサーバを含む。例えば、該デバイスがＸｉａｏＭｉスマートプラグやＸｉａｏＭｉブレスレットであってもよく、該一部のサーバがＸｉａｏＭｉサーバを含む。
【００５９】
ステップＳ３２では、該デバイスによって送信されたデバイス検証情報を受信する。
【００６０】
ステップＳ３３では、デバイス検証情報を該一部のサーバに送信し、それによって該一部のサーバが該デバイスに対する検証を行う。
【００６１】
ステップＳ３４では、該デバイスの全部のサーバへのアクセスをサポートするために、デバイス検証情報が該一部のサーバ上で行われる検証に合格した後、第２アクセス情報に基づいて該デバイスとの第２接続を確立する。
【００６２】
該デバイスが第２アクセス情報に基づいてルータにアクセスした後には、インターネット全体における全部のサーバにアクセスすることができる。
【００６３】
本開示では、対象ルータは、まず、一部のサーバへのアクセスをサポートするのみである無線ネットワークを介して無線ネットワークにアクセスするデバイスに接続し、次に、検証を行う該一部のサーバに該デバイスのデバイス検証情報を送信して、検証に合格した後、第２アクセス情報に基づいて該デバイスとの接続を確立する。それによって、該デバイスは、全部のサーバにアクセスして、データ伝送を行うことができる。該デバイスが対象ルータにアクセスして全部のサーバへアクセスする際に、ユーザが手動で無線ネットワークの選択及びパスワード入力を行う必要がなく、アクセス手順が便利になり、ユーザエクスペリエンスが向上する。
【００６４】
図５は、本開示の例示の実施形態に基づく無線ネットワークにアクセスする方法のフローチャートである。該方法は、前述のルータ（すなわち、対象ルータ）に適用される。図５に示すように、該方法は以下のステップを含む。
【００６５】
ステップＳ４０では、第１無線ネットワークをオンにする。第１無線ネットワークは、一部のサーバへのアクセスをサポートするものであって、第１無線ネットワークは、暗号化されていない無線ネットワークであるか、パスワードが設定された無線ネットワークである。
【００６６】
本実施形態の一実施方式では、ルータは、モバイル端末によって送信された開始命令を受信する。開始命令は、第１無線ネットワークをオンにするために用いられるものである。ルータは、該開始命令に基づいて、第１無線ネットワークをオンにする。
【００６７】
本実施形態の別の実施方式では、ルータの第１無線ネットワークはまた、起動時にオンになることができ、モバイル端末によって送信される開始命令が必要ない。
【００６８】
本実施形態では、第１無線ネットワークは事前設定されており、この事前設定はパスワード（空のパスワード又は設定されたパスワード）及びルータのフィルタリング（例えば、該一部のサーバを宛先アドレスとするデータの通過のみ許可される）を含んでいる。
【００６９】
ステップＳ４１では、無線ネットワークにアクセスするデバイスの該一部のサーバへのアクセスをサポートするために、第１アクセス情報に基づいて該デバイスとの第１接続を確立する。
【００７０】
該デバイスは、前述のスマートデバイスであってもよい。該一部のサーバは、該デバイスに対して検証を行うために用いられるサーバを含む。例えば、該デバイスがＸｉａｏＭｉスマートプラグやＸｉａｏＭｉブレスレットであってもよく、該一部のサーバがＸｉａｏＭｉサーバを含む。
【００７１】
第１アクセス情報は、第１無線ネットワークの識別子を含んでいるか、第１アクセス情報は、第１無線ネットワークの識別子及びパスワードを含んでいる。第１無線ネットワークは、該一部のサーバへのアクセスをサポートしている。
【００７２】
ステップＳ４１は、該デバイスによって送信された検証要求を受信することを含んでいてもよい。ここで、検証要求は、第１無線ネットワークの識別子を含んでいるか、第１無線ネットワークの識別子及びパスワードを含んでいる。第１無線ネットワークがパスワードを有していない場合には、検証応答を直接返信し、第１無線ネットワークがパスワードを有している場合には、パスワードを検証した後に検証応答を返信する。該端末に検証応答を返信した後に、第１無線ネットワークと該デバイスとの関連付けを行い、それによって該端末に第１無線ネットワークへと接続させる。
【００７３】
ステップＳ４２では、該デバイスによって送信されたデバイス検証情報を受信する。デバイス検証情報は、デバイス識別子及び検証鍵を含む。
【００７４】
デバイス検証情報は、該一部のサーバにより無線ネットワークにアクセスする該デバイスを検証するために用いられる。
【００７５】
ステップＳ４３では、デバイス検証情報を該一部のサーバに送信する。
【００７６】
ステップＳ４４では、該デバイスが第２無線ネットワークに接続されて、全部のサーバにアクセスできるようにするために、デバイス検証情報が該一部のサーバ上で行われる検証に合格した後、第２アクセス情報に基づいて該デバイスとの第２接続を確立する。第２アクセス情報は、第２無線ネットワークの識別子及びパスワードを含んでおり、第２無線ネットワークは、全部のサーバへのアクセスをサポートしている。
【００７７】
本開示の実施形態の一実施方式では、第２アクセス情報に基づいて該デバイスとの接続を確立することが、
該一部のサーバによって送信された命令を受信することであって、該命令が該デバイスに第２アクセス情報を送信することを指示するために使用される、ことと、
該デバイスに第２アクセス情報を送信することと
を含む。
【００７８】
本開示の実施形態の別の実施方式では、第２アクセス情報に基づいて該デバイスとの接続を確立することが、
該一部のサーバによって送信された第２アクセス情報を受信することと、
第２アクセス情報を該デバイスに送信することと
を含む。
【００７９】
該デバイスに第２アクセス情報を送信した後、該デバイスによって送信された検証要求をルータが受信する。検証要求は、第２無線ネットワークの識別子及び第２無線ネットワークのパスワードを含んでいる。第２無線ネットワークのパスワードが検証に合格した場合、ルータは検証応答を返信し、ルータは該デバイスによって送信された関連付け要求を受信して、ルータは該デバイスに関連付けの確認を返信する。関連付けが完了した後に、スマートデバイスは、対象ルータとデータ通信を行うことができる。
【００８０】
本実施形態では、ルータは、まず、一部のサーバへのアクセスをサポートするのみである無線ネットワークを介して、無線ネットワークにアクセスするデバイスとの接続を確立し、次に、検証を行う該一部のサーバに該デバイスのデバイス検証情報を送信して、検証に合格した後、第２アクセス情報に基づいて該デバイスとの接続を確立する。それによって、該デバイスは、全部のサーバにアクセスして、データ伝送を行うことができる。該デバイスが該ルータにアクセスして全部のサーバへアクセスする際に、ユーザが手動で無線ネットワークの選択及びパスワード入力を行う必要がなく、アクセス手順が便利になり、ユーザエクスペリエンスが向上する。
【００８１】
図６は、本開示の例示の実施形態に基づく無線ネットワークにアクセスする方法のフローチャートである。該方法は、前述のサーバに適用される。図６に示すように、該方法は以下のステップを含む。
【００８２】
ステップＳ５１では、無線ネットワークにアクセスするデバイスによって対象ルータを介して送信されたデバイス検証情報を受信する。
【００８３】
無線ネットワークにアクセスする該デバイスは、前述のスマートデバイスであってもよく、例えば、ＸｉａｏＭｉスマートプラグやＸｉａｏＭｉブレスレットであってもよい。対象ルータは、前述のルータであってもよく、例えば、ＸｉａｏＭｉルータであってもよい。
【００８４】
ステップＳ５２では、デバイス検証情報に基づいて、該デバイスに対して検証を行う。
【００８５】
ステップＳ５３では、検証に合格した時、該デバイスが第２アクセス情報に基づいて対象ルータにアクセスすると共にそれによって全部のサーバにアクセスするために、対象ルータを介して該デバイスに第２アクセス情報を送信する。
【００８６】
本実施形態では、一部のサーバが、デバイス検証情報に基づいてデバイスに対して検証を行い、該デバイスに対する検証に合格した時、対象ルータを介して該デバイスに第２アクセス情報を送信する。それによって、該デバイスを第２アクセス情報に基づいて対象ルータにアクセスさせて、それにより全部のサーバにアクセスし、データ伝送を行う。該デバイスが第２無線ネットワークにアクセスする際に、ユーザが手動で無線ネットワークの選択及びパスワード入力を行う必要がなく、アクセス手順が便利になり、ユーザエクスペリエンスが向上する。
【００８７】
図７は、本開示の例示の実施形態に基づく無線ネットワークにアクセスする方法のフローチャートである。該方法は、前述のサーバに適用される。図７に示すように、該方法は以下のステップを含む。
【００８８】
ステップＳ６１では、無線ネットワークにアクセスするデバイスによって対象ルータを介して送信されたデバイス検証情報を受信する。デバイス検証情報は、デバイス識別子及び検証鍵を含む。
【００８９】
無線ネットワークにアクセスする該デバイスは、前述のスマートデバイスであってもよく、例えば、ＸｉａｏＭｉスマートプラグやＸｉａｏＭｉブレスレットであってもよい。対象ルータは、前述のルータであってもよく、例えば、ＸｉａｏＭｉルータであってもよい。サーバは、該デバイスによって第１無線ネットワークを介して送信されたデバイス検証情報を受信する。第１無線ネットワークは、該デバイスの一部のサーバへのアクセスをサポートするように構成されている。
【００９０】
ステップＳ６２では、デバイス検証情報に基づいて、該デバイスに対して検証を行う。
【００９１】
検証鍵はサーバにより生成され、無線ネットワークにアクセスするデバイスの製造時において該デバイス中にプログラムされる。サーバは、それぞれの検証鍵とデバイス識別子との対応関係を記憶することになる。サーバは、デバイス識別子及び検証鍵に対して検証を行う。この検証は、サーバ内にて該デバイスによって送信されたデバイス識別子及び検証鍵を検索することと、該デバイスによって送信されたデバイス識別子及び検証鍵がサーバ内に記憶されていて互いに整合する場合には、検証に合格することを決定し、そうでない場合には、検証に合格しないことを決定することと、を含む。
【００９２】
ステップＳ６３では、検証に合格した時、該デバイスが第２アクセス情報に基づいて対象ルータにアクセスすると共にそれによって全部のサーバにアクセスするために、対象ルータを介して該デバイスに第２アクセス情報を送信する。第２アクセス情報は、第２無線ネットワークの識別子及びパスワードを含んでおり、第２無線ネットワークは、全部のサーバへのアクセスをサポートしている。
【００９３】
本実施形態の一実施方式では、対象ルータを介して該デバイスに第２アクセス情報を送信することが、
該デバイスに第２アクセス情報を送信するよう対象ルータに指示するために、対象ルータに命令を送信することを含む。
【００９４】
本実施形態の別の実施方式では、対象ルータを介して該デバイスに第２アクセス情報を送信することが、
対象ルータを介して第２アクセス情報を該デバイスに送信するために、対象ルータに第２アクセス情報を送信することを含む。
【００９５】
本実施形態では、サーバが、デバイス検証情報に基づいて、無線ネットワークにアクセスするデバイスに対して検証を行い、該デバイスに対する検証に合格した時、対象ルータを介して該デバイスに第２アクセス情報を送信する。それによって、該デバイスを第２アクセス情報に基づいて対象ルータにアクセスさせて、それにより全部のサーバにアクセスし、データ伝送を行う。該デバイスが第２無線ネットワークにアクセスする際に、ユーザが手動で無線ネットワークの選択及びパスワード入力を行う必要がなく、アクセス手順が便利になり、ユーザエクスペリエンスが向上する。
【００９６】
図８は、本開示の例示の実施形態に基づく無線ネットワークにアクセスする方法のフローチャートである。図８に示すように、該方法は以下のステップを含む。
【００９７】
ステップＳ７１では、ルータ（すなわち、前述の対象ルータ）は、第１無線ネットワークをオンにする。第１無線ネットワークは、スマートデバイス（すなわち、無線ネットワークにアクセスする前述のデバイス）の一部のサーバへのアクセスをサポートするために用いられ、第１無線ネットワークは、暗号化されていない無線ネットワークであるか、パスワードが設定された無線ネットワークである。
【００９８】
ステップＳ７２は、スマートデバイスは、無線ネットワークのスキャンを定期的に行って、アクセス可能な無線ネットワークの識別子リストを取得する。
【００９９】
ステップＳ７３では、スマートデバイスは、識別子リスト中に第１無線ネットワークの識別子があるか否かを判断して、ある場合には、第１無線ネットワークがスキャンされたことを決定する。
【０１００】
ステップＳ７４では、スマートデバイスは、第１無線ネットワークにアクセスする。
【０１０１】
ステップＳ７５では、スマートデバイスは、スマートデバイスのデバイス識別子及び検証鍵を第１無線ネットワークを介してルータに送信する。
【０１０２】
ステップＳ７６では、ルータは、スマートデバイスのデバイス識別子及び検証鍵を該一部のサーバに送信する。
【０１０３】
ステップＳ７７では、該一部のサーバは、スマートデバイスに対して検証を行うために、デバイス識別子及び検証鍵に対して検証を行う。
【０１０４】
ステップＳ７８では、検証に合格した時、該一部のサーバはルータに命令を送信する。命令は、スマートデバイスに第２アクセス情報を送信するようルータに指示するために用いられ、命令は、スマートデバイスのデバイス識別子を含んでいる。
【０１０５】
検証に合格しなかった場合、該一部のサーバは、ルータに該スマートデバイスが不正なユーザであることを通知して該スマートデバイスが第２ネットワークにアクセスすることを許可しないように、ルータに検証失敗情報を送信してもよい（図７には図示しない）。
【０１０６】
ステップＳ７９では、ルータは、スマートデバイスに第２アクセス情報を送信する。第２アクセス情報は、第２無線ネットワークの識別子及び第２無線ネットワークのパスワードを含んでいる。
【０１０７】
ステップＳ７１０では、スマートデバイスは、第２ネットワークのパスワードを用いて第２ネットワークにアクセスする。
【０１０８】
上述の各ステップの詳細な実施手順は、前述の実施形態の内容を参照することができ、ここでは繰り返して説明しない。
【０１０９】
本開示では、スマートデバイスは、まず、一部のサーバへのアクセスをサポートするのみである無線ネットワークを介して、検証を行う該一部のサーバにデバイス検証情報を送信し、検証に合格した後、直ちに第２アクセス情報を取得する。それにより、該スマートデバイスは、第２アクセス情報に基づいて対象ルータにアクセスし、それによって全部のサーバにアクセスして、データ伝送を行う。スマートデバイスが対象ルータにアクセスして全部のサーバへアクセスする際に、ユーザが手動で無線ネットワークの選択及びパスワード入力を行う必要がなく、アクセス手順が便利になり、ユーザエクスペリエンスが向上する。
【０１１０】
図９は、本開示の例示の実施形態に基づく無線ネットワークにアクセスする装置のブロック図である。該装置は、前述のスマートデバイスであってもよい。図９に示すように、該装置は、アクセスモジュール７０１と、送信モジュール７０２と、受信モジュール７０３とを含む。
【０１１１】
アクセスモジュール７０１は、一部のサーバにアクセスするために、第１アクセス情報に基づいて対象ルータにアクセスするように構成されている。
【０１１２】
送信モジュール７０２は、該一部のサーバにデバイス検証情報を送信するように構成されている。
【０１１３】
受信モジュール７０３は、第２アクセス情報を受信するように構成されている。第２アクセス情報は、デバイス検証情報が該一部のサーバ上で行われる検証に合格した時に対象ルータによって送信されたものである。
【０１１４】
アクセスモジュール７０１は、さらに、全部のサーバにアクセスするために、第２アクセス情報に基づいて対象ルータにアクセスするように構成されている。
【０１１５】
本開示では、スマートデバイスは、まず、一部のサーバへのアクセスをサポートするのみである無線ネットワークを介して、検証を行う該一部のサーバにデバイス検証情報を送信し、検証に合格した後、直ちに第２アクセス情報を取得する。それにより、該スマートデバイスは、第２アクセス情報に基づいて対象ルータにアクセスし、それによって全部のサーバにアクセスして、データ伝送を行う。スマートデバイスが対象ルータにアクセスして全部のサーバへアクセスする際に、ユーザが手動で無線ネットワークの選択及びパスワード入力を行う必要がなく、アクセス手順が便利になり、ユーザエクスペリエンスが向上する。
【０１１６】
図１０は、本開示の例示の実施形態に基づく無線ネットワークにアクセスする装置のブロック図である。該装置は、前述のスマートデバイスであってもよい。図１０に示すように、該装置は、アクセスモジュール８０１と、送信モジュール８０２と、受信モジュール８０３とを含む。
【０１１７】
アクセスモジュール８０１は、一部のサーバにアクセスするために、第１アクセス情報に基づいて対象ルータにアクセスするように構成されている。第１アクセス情報は、第１無線ネットワークの識別子を含んでいるか、第１アクセス情報は、第１無線ネットワークの識別子及びパスワードを含んでいる。第１無線ネットワークは、該一部のサーバへのアクセスをサポートしている。
【０１１８】
第１アクセス情報は、ローカル中に予め記憶されていてもよい。
【０１１９】
送信モジュール８０２は、該一部のサーバにデバイス検証情報を送信する。デバイス検証情報は、デバイス識別子及び検証鍵を含んでいる。
【０１２０】
検証鍵はサーバにより生成され、スマートデバイスの製造時においてスマートデバイス中にプログラムされる。サーバは、それぞれの検証鍵とデバイス識別子との対応関係を記憶することになる。サーバは、記憶した検証鍵とデバイス識別子との対応関係に基づいてスマートデバイスに対して検証を行う。すなわち、スマートデバイスによって送信されたデバイス識別子及び検証鍵がサーバ内に記憶されていて互いに整合すると、検証に合格する。
【０１２１】
受信モジュール８０３は、第２アクセス情報を受信する。第２アクセス情報は、デバイス検証情報が該一部のサーバ上で行われる検証に合格した時に対象ルータによって送信されたものである。第２アクセス情報は、第２無線ネットワークの識別子及びパスワードを含んでおり、第２無線ネットワークは、全部のサーバへのアクセスをサポートしている。
【０１２２】
アクセスモジュール８０１は、さらに、全部のサーバにアクセスするために、第２アクセス情報に基づいて対象ルータにアクセスするように構成されている。
【０１２３】
アクセスモジュール８０１は、
対象ルータに検証要求を送信するように構成された検証サブモジュール８０１１であって、該検証要求が、第１無線ネットワークの識別子を含んでいるか、第１無線ネットワークの識別子及びパスワードを含んでおり、第１無線ネットワークが、対象ルータによって提供されている、検証サブモジュール８０１１と、
対象ルータによって返信された検証応答が受信された時、第１無線ネットワークにアクセスするために、スマートデバイスを第１無線ネットワークと関連付けるように構成された関連付けサブモジュール８０１２と
を含んでいる。
【０１２４】
関連付けサブモジュール８０１２は、具体的には、対象ルータに関連付け要求を送信することや、対象ルータによって返信された関連付けの確認を受信するように構成されている。関連付けが完了した後に、スマートデバイスは、対象ルータとデータ対話を行うことができる。
【０１２５】
本開示の実施方式では、受信モジュール８０３が、対象ルータによって送信された第２アクセス情報を受信するように構成されている。第２アクセス情報は、該一部のサーバからの命令に応じて対象ルータによって送信されたものである。対象ルータは、スマートデバイスに第２アクセス情報を送信する前に、該一部のサーバによって送信された命令を受信する。該命令は、スマートデバイスが検証に合格するよう対象ルータに指示するために用いられ、該命令は、スマートデバイスのデバイス識別子を含む。
【０１２６】
本実施形態の別の実施方式では、受信モジュール８０３が、該一部のサーバによって送信された第２アクセス情報を受信するように構成されている。該一部のサーバによって送信された第２アクセス情報は、対象ルータによって該一部のサーバに事前にアップロードされる。
【０１２７】
さらに、該装置は、スキャンモジュール８０４と、判断モジュール８０５とを含む。
【０１２８】
スキャンモジュール８０４は、無線ネットワークのスキャンを定期的に行って、アクセス可能な無線ネットワークの識別子リストを取得するように構成されている。
【０１２９】
例えば、スキャンモジュール８０４は、ルータ（対象ルータを含む）によって送信されたビーコンフレームを定期的に受信し、ビーコンフレーム中の無線ネットワークの識別子に基づいて、アクセス可能な無線ネットワークの識別子リストを決定する。
【０１３０】
無線ネットワークの識別子は、無線ネットワークのＳＳＩＤであり、アクセス可能な無線ネットワークの識別子リストは、複数の無線ネットワークのＳＳＩＤにより構成される。
【０１３１】
本実施形態では、第１無線ネットワークの識別子は、スマートデバイス中に予め記憶されていてもよい。
【０１３２】
判断モジュール８０５は、識別子リスト中に第１無線ネットワークの識別子があるか否かを判断して、識別子リスト中に第１無線ネットワークの識別子がある場合には、第１無線ネットワークがスキャンされたことを決定するように構成されている。
【０１３３】
識別子リストの中に第１無線ネットワークの識別子がない場合には、第１無線ネットワークがスキャンされるまで無線ネットワークのスキャンを繰り返し実行する。
【０１３４】
本実施形態では、スマートデバイスは、まず、一部のサーバへのアクセスをサポートするのみである無線ネットワークを介して、検証を行う該一部のサーバにデバイス検証情報を送信し、検証に合格した後、直ちに第２アクセス情報を取得する。それにより、該スマートデバイスは、第２アクセス情報に基づいて対象ルータにアクセスし、それによって全部のサーバにアクセスして、データ伝送を行う。スマートデバイスが対象ルータにアクセスして全部のサーバへアクセスする際に、ユーザが手動で無線ネットワークの選択及びパスワード入力を行う必要がなく、アクセス手順が便利になり、ユーザエクスペリエンスが向上する。
【０１３５】
図１１は、本開示の例示の実施形態に基づく無線ネットワークにアクセスする装置のブロック図である。該装置は、前述のルータであってもよい。図１１に示すように、該ルータは、接続モジュール９０１と、受信モジュール９０２と、送信モジュール９０３とを含む。
【０１３６】
接続モジュール９０１は、無線ネットワークにアクセスするデバイスの一部のサーバへのアクセスをサポートするために、第１アクセス情報に基づいて該デバイスとの第１接続を確立するように構成されている。
【０１３７】
受信モジュール９０２は、無線ネットワークにアクセスする該デバイスによって送信されたデバイス検証情報を受信するように構成されている。
【０１３８】
送信モジュール９０３は、デバイス検証情報を該一部のサーバに送信するように構成されている。
【０１３９】
接続モジュール９０１は、さらに、無線ネットワークにアクセスする該デバイスの全部のサーバへのアクセスをサポートするために、デバイス検証情報が該一部のサーバ上で行われる検証に合格した後、第２アクセス情報に基づいて、無線ネットワークにアクセスする該デバイスとの第２接続を確立するように構成されている。
【０１４０】
本実施形態では、ルータは、まず、一部のサーバへのアクセスをサポートするのみである無線ネットワークを介して、無線ネットワークにアクセスするデバイスに接続し、次に、検証を行う該該一部のサーバに無線ネットワークにアクセスするデバイスのデバイス検証情報を送信して、検証に合格した後、第２アクセス情報に基づいて、無線ネットワークにアクセスするデバイスとの接続を確立する。それによって、無線ネットワークにアクセスする該デバイスは、全部のサーバにアクセスして、データ伝送を行うことができる。無線ネットワークにアクセスする該デバイスが該ルータにアクセスして全部のサーバへアクセスする際に、ユーザが手動で無線ネットワークの選択及びパスワード入力を行う必要がなく、アクセス手順が便利になり、ユーザエクスペリエンスが向上する。
【０１４１】
図１２は、本開示の例示の実施形態に基づく無線ネットワークにアクセスする装置のブロック図である。該装置は、前述のルータであってもよい。図１２に示すように、該ルータは以下のモジュールを含む。
【０１４２】
接続モジュール１００１は、無線ネットワークにアクセスするデバイスの一部のサーバへのアクセスをサポートするために、第１アクセス情報に基づいて無線ネットワークにアクセスする該デバイスとの第１接続を確立するように構成されている。
【０１４３】
第１アクセス情報は、第１無線ネットワークの識別子を含んでいるか、第１アクセス情報は、第１無線ネットワークの識別子及びパスワードを含んでいる。第１無線ネットワークは、該一部のサーバへのアクセスをサポートしている。
【０１４４】
受信モジュール１００２は、無線ネットワークにアクセスする該デバイスによって送信されたデバイス検証情報を受信するように構成されている。デバイス検証情報は、デバイス識別子及び検証鍵を含む。
【０１４５】
送信モジュール１００３は、受信モジュール１００２によって受信されたデバイス検証情報を該一部のサーバに送信するように構成されている。
【０１４６】
接続モジュール１００１は、さらに、無線ネットワークにアクセスする該デバイスの全部のサーバへのアクセスをサポートするために、デバイス検証情報が該一部のサーバ上で行われる検証に合格した後、第２アクセス情報に基づいて、無線ネットワークにアクセスする該デバイスとの第２接続を確立するように構成されている。
【０１４７】
第２アクセス情報は、第２無線ネットワークの識別子及びパスワードを含んでおり、第２無線ネットワークは、全部のサーバへのアクセスをサポートしている。
【０１４８】
接続モジュール１００１は、無線ネットワークにアクセスする該デバイスによって送信された検証要求を受信するように構成されている。ここで、検証要求は、第１無線ネットワークの識別子を含んでいるか、第１無線ネットワークの識別子及びパスワードを含んでいる。第１無線ネットワークがパスワードを有していない場合には、検証応答を直接返信し、第１無線ネットワークがパスワードを有している場合には、パスワードを検証した後に検証応答を返信する。無線ネットワークにアクセスする該デバイスに検証応答を返信した後に、第１無線ネットワークと無線ネットワークにアクセスする該デバイスとの関連付けを行い、それによって無線ネットワークにアクセスする該デバイスが第１無線ネットワークにアクセスできるようになる。
【０１４９】
接続モジュール１００１は、
該一部のサーバによって送信された命令を受信するように構成された接続サブモジュール１０１１であって、該命令が無線ネットワークにアクセスする該デバイスに第２アクセス情報を送信することを指示するために使用される、接続サブモジュール１０１１と、
無線ネットワークにアクセスする該デバイスに第２アクセス情報を送信するように構成された送信サブモジュール１０１２と
を含む。
【０１５０】
あるいは、接続モジュール１００１は、
該一部のサーバによって送信された第２アクセス情報を受信するように構成された受信サブモジュール１０１１と、
受信サブモジュール１０１１によって受信された第２アクセス情報を無線ネットワークにアクセスする該デバイスに送信するように構成された送信サブモジュール１０１２と
を含む。
【０１５１】
さらに、該ルータは、第１無線ネットワークをオンにするように構成された開始モジュール１００４を含む。
【０１５２】
本実施形態の一実施方式では、開始モジュール１００４は、モバイル端末によって送信された開始命令を受信する。開始命令は、第１無線ネットワークをオンにするために用いられるものである。ルータは、該開始命令に基づいて、第１無線ネットワークをオンにする。
【０１５３】
本実施形態の別の実施方式では、第１無線ネットワークはまた、ルータの起動時にオンになることができ、モバイル端末によって送信される開始命令が必要ない。
【０１５４】
本実施形態では、第１無線ネットワークは事前設定されており、この事前設定はパスワード（空のパスワード又は設定されたパスワード）及びルータのフィルタリング（例えば、該一部のサーバを宛先アドレスとするデータの通過のみ許可される）を含んでいる。
【０１５５】
さらに、接続モジュール１００１は、第２アクセス情報に基づいて、無線ネットワークにアクセスする該デバイスとの第２接続を確立させるように構成されている。接続モジュール１００１は、無線ネットワークにアクセスする該デバイスによって送信された検証要求を受信し、検証要求は、第２無線ネットワークの識別子及び第２無線ネットワークのパスワードを含んでおり、第２無線ネットワークのパスワードが検証に合格した場合、検証応答を返信し、無線ネットワークにアクセスする該デバイスによって送信された関連付け要求を受信して、無線ネットワークにアクセスする該デバイスに関連付けの確認を返信するように構成されている。関連付けが完了した後に、無線ネットワークにアクセスする該デバイスは、該ルータとデータ対話を行うことができる。
【０１５６】
本実施形態では、ルータは、まず、一部のサーバへのアクセスをサポートするのみである無線ネットワークを介して、無線ネットワークにアクセスするデバイスに接続し、次に、検証を行う該一部のサーバに無線ネットワークにアクセスする該デバイスのデバイス検証情報を送信して、検証に合格した後、第２アクセス情報に基づいて、無線ネットワークにアクセスする該デバイスとの接続を確立する。それによって、無線ネットワークにアクセスする該デバイスは、全部のサーバにアクセスして、データ伝送を行うことができる。無線ネットワークにアクセスする該デバイスが該ルータにアクセスして全部のサーバへアクセスする際に、ユーザが手動で無線ネットワークの選択及びパスワード入力を行う必要がなく、アクセス手順が便利になり、ユーザエクスペリエンスが向上する。
【０１５７】
図１３は、本開示の例示の実施形態に基づく無線ネットワークにアクセスする装置のブロック図である。該装置は、前述のサーバであってもよい。図１３に示すように、該サーバは、受信モジュール１１０１と、検証モジュール１１０２と、送信モジュール１１０３とを含む。
【０１５８】
受信モジュール１１０１は、無線ネットワークにアクセスするデバイスによって対象ルータを介して送信されたデバイス検証情報を受信するように構成されている。
【０１５９】
検証モジュール１１０２は、デバイス検証情報に基づいて、無線ネットワークにアクセスする該デバイスに対して検証を行うように構成されている。
【０１６０】
送信モジュール１１０３は、検証に合格した時、無線ネットワークにアクセスする該デバイスが第２アクセス情報に基づいて対象ルータにアクセスすると共にそれによって全部のサーバにアクセスするために、対象ルータを介して、無線ネットワークにアクセスする該デバイスに第２アクセス情報を送信するように構成されている。
【０１６１】
本実施形態では、一部のサーバが、デバイス検証情報に基づいて、無線ネットワークにアクセスする該デバイスに対して検証を行い、無線ネットワークにアクセスする該デバイスに対する検証に合格した時、対象ルータを介して無線ネットワークにアクセスする該デバイスに第２アクセス情報を送信する。それによって、無線ネットワークにアクセスする該デバイスを第２アクセス情報に基づいて対象ルータにアクセスさせて、それにより全部のサーバにアクセスし、データ伝送を行う。無線ネットワークにアクセスする該デバイスが第２無線ネットワークにアクセスする際に、ユーザが手動で無線ネットワークの選択及びパスワード入力を行う必要がなく、アクセス手順が便利になり、ユーザエクスペリエンスが向上する。
【０１６２】
図１４は、本開示の例示の実施形態に基づく無線ネットワークにアクセスする装置のブロック図である。該装置は、前述のサーバであってもよい。図１４に示すように、該サーバは以下のモジュールを含む。
【０１６３】
受信モジュール１２０１は、無線ネットワークにアクセスするデバイスによって対象ルータを介して送信されたデバイス検証情報を受信するように構成されている。
【０１６４】
検証モジュール１２０２では、デバイス検証情報に基づいて、無線ネットワークにアクセスする該デバイスに対して検証を行うように構成されている。デバイス検証情報は、デバイス識別子及び検証鍵を含む。
【０１６５】
検証鍵はサーバにより生成され、無線ネットワークにアクセスするデバイスの製造時において該デバイス中にプログラムされる。サーバは、それぞれの検証鍵とデバイス識別子との対応関係を記憶することになる。検証モジュール１２０２は、サーバ内にて無線ネットワークにアクセスする該デバイスによって送信されたデバイス識別子及び検証鍵を検索するように構成された検索サブモジュール１２２１と、無線ネットワークにアクセスする該デバイスによって送信されたデバイス識別子及び検証鍵がサーバ内に記憶されていて互いに整合する場合には、検証に合格すると決定し、そうでない場合には、検証に合格しないと決定するように構成された検証サブモジュール１２２２とを含む。
【０１６６】
送信モジュール１２０３は、検証に合格した時、無線ネットワークにアクセスする該デバイスが第２アクセス情報に基づいて対象ルータにアクセスすると共にそれによって全部のサーバにアクセスするために、対象ルータを介して、無線ネットワークにアクセスする該デバイスに第２アクセス情報を送信するように構成されている。
【０１６７】
第２アクセス情報は、第２無線ネットワークの識別子及びパスワードを含んでおり、第２無線ネットワークは、全部のサーバへのアクセスをサポートしている。
【０１６８】
送信モジュール１２０３は、
無線ネットワークにアクセスする該デバイスに第２アクセス情報を送信するよう対象ルータに指示するために、対象ルータに命令を送信するように構成されている。
【０１６９】
あるいは、送信モジュール１２０３は、
対象ルータが無線ネットワークにアクセスする該デバイスに第２アクセス情報を送信するために、対象ルータに第２アクセス情報を送信するように構成されている。
【０１７０】
本実施形態では、一部のサーバが、デバイス検証情報に基づいて、無線ネットワークにアクセスする該デバイスに対して検証を行い、無線ネットワークにアクセスする該デバイスに対する検証に合格した時、対象ルータを介して、無線ネットワークにアクセスする該デバイスに第２アクセス情報を送信する。それによって、無線ネットワークにアクセスする該デバイスを第２アクセス情報に基づいて対象ルータにアクセスさせて、それにより全部のサーバへのアクセスをサポートし、データ伝送を行う。無線ネットワークにアクセスする該デバイスが第２無線ネットワークにアクセスする際に、ユーザが手動で無線ネットワークの選択及びパスワード入力を行う必要がなく、アクセス手順が便利になり、ユーザエクスペリエンスが向上する。
【０１７１】
上述の実施形態における装置に関し、その中の各モジュールの操作を実行するための具体的な方式は、該方法に関する実施形態において詳細に説明されており、ここでは詳述しない。
【０１７２】
図１５は、例示の実施形態に基づく無線ネットワークにアクセスする装置１４００を表すブロック図である。例えば、装置１４００は、スマートデバイスであってもよい。
【０１７３】
図１５を参照すると、装置１４００は、以下の１つ又は複数のコンポーネント、すなわち、処理コンポーネント１４０２、メモリ１４０４、電源コンポーネント１４０６及び通信コンポーネント１４１６を含んでいてもよい。
【０１７４】
処理コンポーネント１４０２は、典型的には、装置１４００の全体的な操作、例えば、表示、電話呼出し、データ通信、カメラ操作及び記録操作に関する操作などを制御する。処理コンポーネント１４０２は、上述の方法におけるステップの全部又は一部を実施するための命令を実行する１つ又は複数のプロセッサ１４２０を含んでいてもよい。さらに、処理コンポーネント１４０２は、処理コンポーネント１４０２と他のコンポーネントとの間の対話を容易にする１つ又は複数のモジュールを含んでいてもよい。例えば、処理コンポーネント１４０２は、マルチメディアコンポーネント１４０８と処理コンポーネント１４０２との間の対話を容易にするマルチメディアモジュールを含んでいてもよい。
【０１７５】
メモリ１４０４は、装置１４００の操作をサポートするための種々のタイプのデータを保存するように構成されている。このようなデータの例には、装置１４００上において操作される任意のアプリケーション又は方法のための命令、連絡先データ、電話帳データ、メッセージ、ピクチャ、ビデオ等が含まれる。メモリ１４０４は、任意のタイプの揮発性若しくは不揮発性メモリデバイス、又はそれらの組み合わせを用いて実装されていてもよく、例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスク又は光ディスクを用いて実装されていてもよい。
【０１７６】
電源コンポーネント１４０６は、装置１４００の種々のコンポーネントに電力を供給する。電源コンポーネント１４０６は、電源管理システム、１つ又は複数の電源、及び、装置１４００において電力を生成、管理及び分配することに関する任意の他のコンポーネントを含んでいてもよい。
【０１７７】
通信コンポーネント１４１６は、装置１４００と他の装置との間の有線又は無線の通信を容易にするように構成されている。装置１４００は、ＷＩＦＩ、２Ｇ若しくは３Ｇ、又はそれらの組み合わせのような通信規格に基づく無線ネットワークにアクセスすることができる。例示の一実施形態では、通信コンポーネント１４１６は、ブロードキャストチャンネルを経由して、外部ブロードキャスト管理システムからのブロードキャスト信号又はブロードキャスト関連情報を受信する。例示の一実施形態では、通信コンポーネント１４１６は、短距離通信を促進するための近距離通信（ＮＦＣ）モジュールをさらに含む。例えば、ＮＦＣモジュールは、無線周波数識別（ＲＦアイデンティティ）技術、赤外線データ協会（ＩｒＤＡ）技術、超広帯域（ＵＷＢ）技術、ブルートゥース（ＢＴ）技術及び他の技術に基づいて実装されていてもよい。
【０１７８】
例示の実施形態では、装置１４００は、上述の方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子部品により実装されていてもよい。
【０１７９】
例示の実施形態では、命令を含んだメモリ１４０４のような、命令を含んだ非一時的なコンピュータ読み取り可能記憶媒体もまた提供され、上記命令は、上述の方法を実施するために、装置１４００のプロセッサ１４２０によって実行可能である。例えば、非一時的なコンピュータ読み取り可能記憶媒体は、ＲＯＭ，ＲＡＭ、ＣＤ−ＲＯＭ、磁気テープ、フロッピーディスク及び光学データ記憶デバイス等であってもよい。
【０１８０】
非一時的なコンピュータ読み取り可能記憶媒体は、該記憶媒体内に、装置のプロセッサにより実行された際に無線ネットワークにアクセスする方法を装置に実行させる命令を有している。該方法は、
一部のサーバにアクセスするために、第１アクセス情報に基づいて対象ルータにアクセスすることと、
該一部のサーバにデバイス検証情報を送信することと、
第２アクセス情報を受信することであって、第２アクセス情報が、デバイス検証情報が該一部のサーバ上で行われる検証に合格した時に対象ルータによって送信されたものである、ことと、
全部のサーバにアクセスするために、第２アクセス情報に基づいて対象ルータにアクセスすることと
を含んでいる。
【０１８１】
本実施形態の一実施方式では、第２アクセス情報を受信することが、
対象ルータによって送信された第２アクセス情報を受信することを含み、第２アクセス情報が、該一部のサーバからの命令に応じて対象ルータによって送信されたものである。
【０１８２】
本実施形態の別の実施方式では、第２アクセス情報を受信することが、
該一部のサーバによって送信された第２アクセス情報を受信することを含んでいる。
【０１８３】
本実施形態では、第２アクセス情報は該一部のサーバによって送信されてもよく、ルータによって送信されてもよい。それにより、多様な要求が満たされる。
【０１８４】
本開示の一実施方式では、デバイス検証情報がデバイス識別子及び検証鍵を含んでいる。
【０１８５】
本開示の一実施方式では、第１アクセス情報が第１無線ネットワークの識別子を含み又は第１アクセス情報が第１無線ネットワークの識別子及びパスワードを含み、第１無線ネットワークは、該一部のサーバへのアクセスをサポートしている。
【０１８６】
第２アクセス情報は、第２無線ネットワークの識別子及びパスワードを含み、第２無線ネットワークは、全部のサーバへのアクセスをサポートしている。
【０１８７】
図１６は、例示の実施形態に基づく無線ネットワークにアクセスする装置１５００を表すブロック図である。例えば、装置１５００は、ルータであってもよい。
【０１８８】
図１６を参照すると、装置１５００は、以下の１つ又は複数のコンポーネント、すなわち、処理コンポーネント１５０２、メモリ１５０４、電源コンポーネント１５０６及び通信コンポーネント１５１６を含んでいてもよい。
【０１８９】
処理コンポーネント１５０２は、典型的には、装置１５００の全体的な操作、例えば、表示、電話呼出し、データ通信、カメラ操作及び記録操作に関する操作などを制御する。処理コンポーネント１５０２は、上述の方法におけるステップの全部又は一部を実施するための命令を実行する１つ又は複数のプロセッサ１５２０を含んでいてもよい。さらに、処理コンポーネント１５０２は、処理コンポーネント１５０２と他のコンポーネントとの間の対話を容易にする１つ又は複数のモジュールを含んでいてもよい。例えば、処理コンポーネント１５０２は、マルチメディアコンポーネント１５０８と処理コンポーネント１５０２との間の対話を容易にするマルチメディアモジュールを含んでいてもよい。
【０１９０】
メモリ１５０４は、装置１５００の操作をサポートするための種々のタイプのデータを保存するように構成されている。このようなデータの例には、装置１５００上において操作される任意のアプリケーション又は方法のための命令、連絡先データ、電話帳データ、メッセージ、ピクチャ、ビデオ等が含まれる。メモリ１５０４は、任意のタイプの揮発性若しくは不揮発性メモリデバイス、又はそれらの組み合わせを用いて実装されていてもよく、例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスク又は光ディスクを用いて実装されていてもよい。
【０１９１】
電源コンポーネント１５０６は、装置１５００の種々のコンポーネントに電力を供給する。電源コンポーネント１５０６は、電源管理システム、１つ又は複数の電源、及び、装置１５００において電力を生成、管理及び分配することに関する任意の他のコンポーネントを含んでいてもよい。
【０１９２】
通信コンポーネント１５１６は、装置１５００と他の装置との間の有線又は無線の通信を容易にするように構成されている。装置１５００は、ＷＩＦＩ、２Ｇ若しくは３Ｇ、又はそれらの組み合わせのような通信規格に基づく無線ネットワークにアクセスすることができる。例示の一実施形態では、通信コンポーネント１５１６は、ブロードキャストチャンネルを経由して、外部ブロードキャスト管理システムからのブロードキャスト信号又はブロードキャスト関連情報を受信する。例示の一実施形態では、通信コンポーネント１５１６は、短距離通信を促進するための近距離通信（ＮＦＣ）モジュールをさらに含む。例えば、ＮＦＣモジュールは、無線周波数識別（ＲＦアイデンティティ）技術、赤外線データ協会（ＩｒＤＡ）技術、超広帯域（ＵＷＢ）技術、ブルートゥース（ＢＴ）技術及び他の技術に基づいて実装されていてもよい。
【０１９３】
例示の実施形態では、装置１５００は、上述の方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子部品により実装されていてもよい。
【０１９４】
例示の実施形態では、命令を含んだメモリ１５０４のような、命令を含んだ非一時的なコンピュータ読み取り可能記憶媒体もまた提供され、上記命令は、上述の方法を実施するために、装置１５００のプロセッサ１５２０によって実行可能である。例えば、非一時的なコンピュータ読み取り可能記憶媒体は、ＲＯＭ，ＲＡＭ、ＣＤ−ＲＯＭ、磁気テープ、フロッピーディスク及び光学データ記憶デバイス等であってもよい。
【０１９５】
非一時的なコンピュータ読み取り可能記憶媒体は、該記憶媒体内に、装置のプロセッサにより実行された際に無線ネットワークにアクセスする方法を装置に実行させる命令を有している。該方法は、
無線ネットワークにアクセスするデバイスの一部のサーバへのアクセスをサポートするために、第１アクセス情報に基づいて該デバイスとの第１接続を確立することと、
該デバイスによって送信されたデバイス検証情報を受信することと、
デバイス検証情報を該一部のサーバに送信することと、
該デバイスの全部のサーバへのアクセスをサポートするために、デバイス検証情報が該一部のサーバ上で行われる検証に合格した後、第２アクセス情報に基づいて該デバイスとの第２接続を確立することと
を含んでいる。
【０１９６】
本実施形態の一実施方式では、第２アクセス情報に基づいてデバイスとの第２接続を確立することが、
該一部のサーバによって送信された命令を受信することであって、命令がデバイスに第２アクセス情報を送信することを指示するために使用される、ことと、
デバイスに第２アクセス情報を送信することと
を含んでいる。
【０１９７】
本実施形態の別の実施方式では、第２アクセス情報に基づいてデバイスとの第２接続を確立することが、
該一部のサーバによって送信された第２アクセス情報を受信することと、
第２アクセス情報をデバイスに送信することと
を含んでいる。
【０１９８】
本実施形態の一実施方式では、デバイス検証情報がデバイス識別子及び検証鍵を含んでいる。
【０１９９】
本実施形態の一実施方式では、第１アクセス情報が第１無線ネットワークの識別子を含み又は第１アクセス情報が第１無線ネットワークの識別子及びパスワードを含み、第１無線ネットワークは、該一部のサーバへのアクセスをサポートしている。
【０２００】
第２アクセス情報は、第２無線ネットワークの識別子及びパスワードを含み、第２無線ネットワークは、全部のサーバへのアクセスをサポートしている。
【０２０１】
図１７は、本開示の例示の実施形態に基づく無線ネットワークへのアクセスに用いられる装置１９００の概略図である。例えば、装置１９００は、サーバとして構成されていてもよい。図１７に示すように、装置１９００は、処理コンポーネント１９２２であって、１つ又は複数のプロセッサをさらに含んでいる処理コンポーネント１９２２と、メモリ１９３２により表されるメモリリソースであって、処理コンポーネント１９２２に実行されるアプリケーションプログラム等の命令を記憶するように構成されたメモリリソースとを含む。メモリ１９３２中に記憶されているアプリケーションプログラムは、命令のセットにそれぞれ対応している１つ又は複数のモジュールを含んでいてもよい。さらに、処理コンポーネント１９２２は、上述の無線ネットワークにアクセスする方法を実行するために、命令を実行するように構成されている。該方法は、
無線ネットワークにアクセスするデバイスによって対象ルータを介して送信されたデバイス検証情報を受信することと、
デバイス検証情報に基づいて、該デバイスに対して検証を行うことと、
検証に合格した時、該デバイスが第２アクセス情報に基づいて対象ルータにアクセスすると共にそれによって全部のサーバにアクセスするために、対象ルータを介して該デバイスに第２アクセス情報を送信することと
を含んでいる。
【０２０２】
本実施形態の一実施方式では、対象ルータを介して該デバイスに第２アクセス情報を送信することが、
該デバイスに第２アクセス情報を送信するよう対象ルータに指示するために、対象ルータに命令を送信することを含んでいる。
【０２０３】
本実施形態の別の実施方式では、対象ルータを介して該デバイスに第２アクセス情報を送信することが、
対象ルータを介して第２アクセス情報を該デバイスに送信するために、対象ルータに第２アクセス情報を送信することを含んでいる。
【０２０４】
本実施形態の一実施方式では、デバイス検証情報がデバイス識別子及び検証鍵を含んでいる。
【０２０５】
本実施形態の一実施方式では、第２アクセス情報が、第２無線ネットワークの識別子及びパスワードを含み、第２無線ネットワークは、全部のサーバへのアクセスをサポートしている。
【０２０６】
装置１９００は、さらに、装置１９００の電源管理を行うように構成された電源コンポーネント１９２６と、装置１９００をネットワークに接続させるように構成された有線又は無線のネットワークインタフェース１９５０と、入力／出力（Ｉ／Ｏ）インタフェース１９５８とを含んでいてもよい。装置１９００は、メモリ１９３２に記憶された操作システムに基づいて操作することができ、該操作システムとしては、例えば、Ｗｉｎｄｏｗｓ  ＳｅｒｖｅｒTM，Ｍａｃ  ＯＳ  ＸTM，ＵｎｉｘTM，  ＬｉｎｕｘTM，ＦｒｅｅＢＳＤTM等が挙げられる。
【０２０７】
図１８は、本開示の例示の実施形態に基づく無線ネットワークにアクセスするシステムのブロック図である。図１８に示すように、該システムは、端末デバイスと１８１と、ルータ１８２と、サーバ１８３とを含む。端末デバイス１８１は、図２又は図３に対応する実施形態に提供される方法を実行するように構成されており、ルータ１８２は、図４又は図５に対応する実施形態に提供される方法を実行するように構成されており、サーバ１８３は、図６又は図７に対応する実施形態に提供される方法を実行するように構成されている。
【０２０８】
端末デバイス１８１は、一部のサーバにアクセスするために第１アクセス情報に基づいてルータにアクセスし、該一部のサーバにデバイス検証情報を送信し、第２アクセス情報を受信し、全部のサーバにアクセスするために第２アクセス情報に基づいてルータにアクセスするように構成されている。
【０２０９】
本実施形態の別の実施方式では、端末デバイス１８１が、
ルータによって送信された第２アクセス情報を受信するように構成されており、第２アクセス情報が、サーバからの命令に応じてルータによって送信されたものである。
【０２１０】
本実施形態の別の実施方式では、端末デバイス１８１が、
サーバによって送信された第２アクセス情報を受信するように構成されている。
【０２１１】
本実施形態では、第２アクセス情報はサーバによって送信されてもよく、ルータによって送信されてもよい。それにより、多様な要求が満たされる。
【０２１２】
本実施形態の一実施方式では、デバイス検証情報がデバイス識別子及び検証鍵を含んでいる。
【０２１３】
本実施形態の一実施方式では、第１アクセス情報が第１無線ネットワークの識別子を含み又は第１アクセス情報が第１無線ネットワークの識別子及びパスワードを含み、第１無線ネットワークは、該一部のサーバへのアクセスをサポートしている。
【０２１４】
第２アクセス情報は、第２無線ネットワークの識別子及びパスワードを含み、第２無線ネットワークは、全部のサーバへのアクセスをサポートしている。
【０２１５】
ルータ１８２は、第１アクセス情報に基づいて端末デバイスとの第１接続を確立し、端末デバイスによって送信されたデバイス検証情報を受信し、デバイス検証情報を該一部のサーバに送信し、デバイス検証情報が該一部のサーバ上で行われる検証に合格した後、第２アクセス情報に基づいて端末デバイスとの第２接続を確立するように構成されている。
【０２１６】
本実施形態の一実施方式では、ルータ１８２が、
サーバによって送信された命令を受信し、ここで、命令が端末デバイスに第２アクセス情報を送信することを指示するために使用され、
端末デバイスに第２アクセス情報を送信する
ように構成されている。
【０２１７】
本実施形態の別の実施方式では、ルータ１８２が、
サーバによって送信された第２アクセス情報を受信し、
第２アクセス情報を端末デバイスに送信する
ように構成されている。
【０２１８】
サーバ１８３は、端末デバイスによってルータを介して送信されたデバイス検証情報を受信し、デバイス検証情報に基づいて端末デバイスに対して検証を行い、検証に合格した時、ルータを介して端末デバイスに第２アクセス情報を送信するように構成されている。
【０２１９】
本実施形態の一実施方式では、サーバ１８３が、
端末デバイスに第２アクセス情報を送信するようルータに指示するために、ルータに命令を送信するように構成されている。
【０２２０】
本実施形態の別の実施方式では、サーバ１８３が、
ルータを介して第２アクセス情報を端末デバイスに送信するために、ルータに第２アクセス情報を送信するように構成されている。
【０２２１】
当業者は、明細書及び本明細書に開示された本発明の実施を考慮して、本発明の他の実施形態に容易に想到するであろう。本出願は、本発明の任意の変形、使用又は翻案に及ぶことを意図しており、これらの変形、使用又は翻案は、本発明の一般的な原理に従うものであると共に、当該技術分野における公知技術又は慣用技術の範囲内における本開示からの逸脱を含む。明細書及び実施例は単なる例示とみなされ、本発明の真の範囲及び趣旨は以下の特許請求の範囲によって示されることが意図される。
【０２２２】
本発明は、上述の及び添付の図面に図示された厳密な構成に限定されるものではなく、本発明の範囲から逸脱することなく、様々な修正及び変更がなされ得ることを理解されたい。本開示の範囲は、添付の特許請求の範囲によってのみ限定される。
【図１】
0006413015.tif 000002
【図２】
0006413015.tif 000003
【図３】
0006413015.tif 000004
【図４】
0006413015.tif 000005
【図５】
0006413015.tif 000006
【図６】
0006413015.tif 000007
【図７】
0006413015.tif 000008
【図８】
0006413015.tif 000009
【図９】
0006413015.tif 000010
【図１０】
0006413015.tif 000011
【図１１】
0006413015.tif 000012
【図１２】
0006413015.tif 000013
【図１３】
0006413015.tif 000014
【図１４】
0006413015.tif 000015
【図１５】
0006413015.tif 000016
【図１６】
0006413015.tif 000017
【図１７】
0006413015.tif 000018
【図１８】
0006413015.tif 000019